(57)【特許請求の範囲】
【請求項１】
電話通信用の複数の回線が接続可能な通信インターフェース手段と、
電話通信用機器が接続されるアナログ電話通信用の複数個の接続端と、
位相が互いに９０度異なる第１及び第２の鳴動信号を発生する鳴動信号発生手段と、
前記通信インターフェース手段を通じて、同時に複数の着信を受け付けた場合に、前記第１の鳴動信号と前記第２の鳴動信号とを、異なる接続端から出力するように制御する制御手段と
を備えることを特徴とする鳴動信号生成装置。
【請求項２】
請求項１に記載の鳴動信号生成装置であって、
前記鳴動信号発生手段は、前記複数個の接続端のうちの一部のそれぞれ毎に設けられ、前記第１の鳴動信号を発生する第１鳴動信号発生部と、前記複数個の接続端の残りのもののそれぞれに設けられ、前記第２の鳴動信号を発生する第２鳴動信号発生部とからなることを特徴とする鳴動信号生成装置。
【請求項３】
請求項２に記載の鳴動信号生成装置であって、
前記第１鳴動信号発生部は複数個存在するものであり、そのうちの一部の第１鳴動信号発生部と、残りの第１鳴動信号発生部とでは、鳴動タイミングの異なる第１の鳴動信号を発生させ、
前記第２鳴動信号発生部は複数個存在するものであり、そのうちの一部の第２鳴動信号発生部と、残りの第２鳴動信号発生部とでは、鳴動タイミングの異なる第２の鳴動信号を発生させることを特徴とする鳴動信号生成装置。
【請求項４】
電話通信用の複数の回線が接続可能な通信インターフェース手段と、電話通信用機器が接続されるアナログ電話通信用の複数個の接続端とを備えた通信機器において用いられる鳴動信号生成方法であって、
前記通信インターフェース手段を通じて、同時に複数の着信を受け付けた場合に、鳴動信号発生手段が、位相が互いに９０度異なる第１及び第２の鳴動信号を発生させて、異なる前記接続端から出力するようにすることを特徴とする鳴動信号生成方法。
【請求項５】
請求項４に記載の鳴動信号生成方法であって、
前記鳴動信号発生手段は、前記複数個の接続端のうちの一部のそれぞれ毎に設けられ、前記第１の鳴動信号を発生する第１鳴動信号発生部と、前記複数個の接続端の残りのもののそれぞれに設けられ、前記第２の鳴動信号を発生する第２鳴動信号発生部とからなることを特徴とする鳴動信号生成方法。
【請求項６】
請求項５に記載の鳴動信号生成方法であって、
前記第１鳴動信号発生部は複数個存在するものであり、そのうちの一部の第１鳴動信号発生部と、残りの第１鳴動信号発生部とでは、鳴動タイミングの異なる第１の鳴動信号を発生させ、
前記第２鳴動信号発生部は複数個存在するものであり、そのうちの一部の第２鳴動信号発生部と、残りの第２鳴動信号発生部とでは、鳴動タイミングの異なる第２の鳴動信号を発生させることを特徴とする鳴動信号生成方法。
【発明の詳細な説明】
【技術分野】
【０００１】
この発明は、例えば、電話通信システムの主装置やゲートウェイ装置など、電話通信用の複数の回線が接続可能であって、電話通信用機器が接続される複数の接続端を備えた通信機器において用いられる鳴動信号を発生させる装置、鳴動信号を発生させる方法に関する。
【背景技術】
【０００２】
電話通信は、簡単に、かつ、比較的に安価に利用できる通信手段であり、企業などにおいては、業務上、日々多数の電話がかかってくる。このため、着信時に着信を通知するリンガ音を放音する電話機が多数存在する場合には、これら多数の電話機が着信時に一斉にリンガ音を放音するために騒音になってしまうという問題があった。
【０００３】
そこで、後に記す特許文献１には、オフィスビル内などに構築される構内電話交換網において、呼着信時に、リンガ鳴動端末を制限し、リンガ鳴動による騒音を緩和すると共に、リンガ鳴動作動端末の台数を任意に設定可能とし、電話端末の利用効率を高めることができるようにするリンガ鳴動制御システムの発明が開示されている。
【０００４】
この特許文献１に記載の技術により、構内電話交換網を構築する場合に、接続する電話端末の台数や電話端末の設置場所などを考慮して、着信時にリンガ鳴動するリンガ鳴動作動端末を決めることができるので、リンガ鳴動による騒音を緩和し、着信時においてもリンガ鳴動しない発信可能な電話端末を適切に確保し、電話端末の利用効率を上げることができるようにされる。
【０００５】
なお、上述した特許文献１は、以下に示す通りである。
【特許文献１】特開平６−９８３６２号公報
【発明の開示】
【発明が解決しようとする課題】
【０００６】
ところで、上述もしたように、企業などには多数の電話がかかってくるので、複数の電話が同時にかかってくる（複数の着信が同時に発生する）場合も多々ある。この場合、構内電話交換網の例えば主装置などにおいては、それぞれの着信を確実に通知するために、それぞれの着信毎に異なる接続端に接続された電話端末に鳴動信号（リンガ信号）を供給して、異なる接続端に接続された電話端末を鳴動させる（リンガ音を放音させる）ようにすることが行われている。
【０００７】
しかし、主装置の異なる接続端に、同じ鳴動タイミングの鳴動信号を供給するようにした場合には、両方の鳴動信号（鳴動電圧）のピークが重なりあってしまい、瞬間的な消費電流が大きくなりやすい。図６は、同時に２つの着信があり、そのそれぞれの着信を通知するために、電話端末が接続された異なる接続端（回線１、回線２）に、同じ鳴動タイミングの鳴動信号を供給するようにした場合の消費電流の変化を示している。
【０００８】
図６Ａ、図６Ｂに示すように、異なる接続端（回線１、回線２）に同じ鳴動タイミングの鳴動信号を供給するようにした場合には、異なる接続端に供給する鳴動信号のピークが重なりあうために、図６Ｃに示すように、当該主装置内部における瞬間的な消費電流は大きくなってしまう。このため、当該主装置を安定して動作させるようにする上では好ましくない。
【０００９】
そこで、例えば同時に２つの着信があった場合には、鳴動タイミングが異なる鳴動信号を用いるようにすることが考えられる。図７は、鳴動タイミングが異なる２つの鳴動信号を送出する場合について説明するための図である。ここで、鳴動信号は、図７に示すように、１秒鳴動、２秒鳴動停止と言うように、鳴動と鳴動停止とを交互に繰り返すようにするものである。
【００１０】
そして、主装置において同時に２つの着信があり、電話端末が接続された１つの接続端には、図７Ａに示した鳴動信号を供給し、電話端末が接続された他の１つの接続端には、図７Ｂに示したように、鳴動タイミングが図７Ａに示した鳴動信号よりも１秒遅れた鳴動信号を供給する。これにより、鳴動信号のピークが重なりあうことも無く、瞬間的な消費電流が大きくなることも無いようにされる。
【００１１】
しかしながら、図７に示した例の場合、２つの着信が同時にあったにも関わらず、わずかではあるが着信の通知のタイミングが異なってしまう。できれば、２つの着信が同時に発生した場合には、それらを同時に通知できるようにしたほうが望ましい。
【００１２】
また、鳴動信号の鳴動タイミングをずらす方式の場合、鳴動信号が１秒鳴動、２秒停止と言う状態を繰り返すものである場合には、同時に３つの着信が発生した場合において、鳴動停止期間が存在しなくなってしまう。この場合には、いずれかの電話端末が着信応答するまでは、常時、どこかの電話端末から鳴動音が放音されることになり、鳴動音が非常に耳障りになってしまう場合があると考えられる。そこで、発生する確率は低くなるものの、同時に３つ以上の着信が発生した場合にも、適切に対応できるようにしておくことが望まれる。
【００１３】
以上のことに鑑み、この発明は、電話通信用の複数の回線が接続可能であって、電話通信用機器が接続される複数の接続端を備えた通信機器において、同時に発生した複数の着信毎に応じた複数の鳴動信号を発生させても瞬間的な消費電流が大きくなることが無いようにすることを目的とする。さらに、従来よりも多くの着信が同時に発生した場合にも、これに適切に対応できるようにすることを目的とする。
【課題を解決するための手段】
【００１４】
上記課題を解決するため、請求項１に記載の発明の鳴動信号生成装置は、
電話通信用の複数の回線が接続可能な通信インターフェース手段と、
電話通信用機器が接続されるアナログ電話通信用の複数個の接続端と、
位相が互いに９０度異なる第１及び第２の鳴動信号を発生する鳴動信号発生手段と、
前記通信インターフェース手段を通じて、同時に複数の着信を受け付けた場合に、前記第１の鳴動信号と前記第２の鳴動信号とを、異なる接続端から出力するように制御する制御手段と
を備えることを特徴とする。
【００１５】
この請求項１に記載の鳴動信号生成装置によれば、通信インターフェース手段を通じて、同時に複数の着信を受け付けると、鳴動信号発生手段により発生するようにされる位相が互いに９０度異なる第１の鳴動信号と第２の鳴動信号とが、異なる接続端から出力するように、制御手段により制御される。
【００１６】
これにより、同時に２つの着信が発生した場合には、それぞれの着信毎に、互いに位相が９０度ずれた鳴動信号を発生させ、異なる接続端に供給することができるので、両鳴動信号のピークが重なりあうことが無く、瞬間的な消費電流が大きくなることが無いようにされる。
【００１７】
また、請求項２に記載の発明の鳴動信号生成装置は、請求項１に記載の鳴動信号生成装置であって、
前記鳴動信号発生手段は、前記複数個の接続端のうちの一部のそれぞれ毎に設けられ、前記第１の鳴動信号を発生する第１鳴動信号発生部と、前記複数個の接続端の残りのもののそれぞれに設けられ、前記第２の鳴動信号を発生する第２鳴動信号発生部とからなることを特徴とする。
【００１８】
この請求項２に記載の発明の鳴動信号生成装置によれば、鳴動信号発生手段は、接続端毎に、第１の鳴動信号を発生する第１鳴動信号発生部と、第２の鳴動信号を発生する第２鳴動信号発生部とのいずれか一方が設けられるように構成される。
【００１９】
これにより、接続端毎に、適切な鳴動信号を確実に供給し、同時に２つの着信があっても、各接続端に供給される鳴動信号のピークが重ならないようにして、瞬間的な消費電流が大きくなることがないようにされる。
【００２０】
また、請求項３に記載の発明の鳴動信号生成装置は、請求項２に記載の鳴動信号生成装置であって、
前記第１鳴動信号発生部は複数個存在するものであり、そのうちの一部の第１鳴動信号発生部と、残りの第１鳴動信号発生部とでは、鳴動タイミングの異なる第１の鳴動信号を発生させ、
前記第２鳴動信号発生部は複数個存在するものであり、そのうちの一部の第２鳴動信号発生部と、残りの第２鳴動信号発生部とでは、鳴動タイミングの異なる第２の鳴動信号を発生させることを特徴とする。
【００２１】
この請求項３に記載の発明の鳴動信号生成装置によれば、第１の鳴動信号発生部は、複数個存在し、鳴動タイミングの異なる一方の第１の鳴動信号を発生させるグループと、鳴動タイミングの異なる他方の第１の鳴動信号を発生させるグループとに分けられるようにされる。また、第２の鳴動信号発生部は、複数個存在し、鳴動タイミングの異なる一方の第２の鳴動信号を発生させるグループと、鳴動タイミングの異なる他方の第２の鳴動信号を発生させるグループとに分けられるようにされる。
【００２２】
これにより、位相と鳴動タイミングの組み合わせにより、種類の鳴動信号を発生させることができるようにされ、着信が４つ同時に発生した場合にも、着信のそれぞれ毎に、ピークが重なりあうことがないようにして、適切に鳴動信号を発生させることができる。したがって、同時に複数の鳴動信号を発生させるようにした場合にも、瞬間的な消費電流が大きくなることも無いようにされる。また、着信通知のための鳴動音が耳障りになる状況を回避し、従来よりも多くの着信が同時に発生した場合にも、これに適切に対応することができるようにされる。
【発明の効果】
【００２３】
この出願の第１、第２の発明によれば、電話通信用の複数の回線が接続可能であって、電話通信用機器が接続される複数の接続端を備えた通信機器において、同時に発生した複数の着信毎に応じた複数の鳴動信号を発生させても瞬間的な消費電流が大きくなることがないようにすることができる。
【００２４】
また、この出願の第３の発明によれば、電話通信用の複数の回線が接続可能であって、電話通信用機器が接続される複数の接続端を備えた通信機器において、同時に発生した複数の着信毎に応じた複数の鳴動信号を発生させても瞬間的な消費電流が大きくなることがなく、かつ、従来よりも多くの着信が同時に発生した場合にも、これに適切に対応できるようにすることもできる。
【発明を実施するための最良の形態】
【００２５】
以下、図を参照しながら、この発明の一実施の形態について説明する。以下に説明する実施の形態においては、この発明の一実施の形態を、電話通信網やインターネットなどの広域ネットワークと、例えば、屋内に形成されるネットワークや通信システムとを相互に接続するためのゲートウェイ装置に適用した場合を例にして説明する。
【００２６】
［ゲートウェイ装置１を用いたシステムの構成例について］
図１は、この実施の形態のゲートウェイ装置１を用いて構内に構成する通信システムの一例について説明するための図である。この実施の形態のゲートウェイ装置１は、詳しくは後述もするが、公衆電話網やインターネットなどのＷＡＮ（Wide Area Network）に接続するためのＷＡＮポートと、構内に形成されるＬＡＮ（Local Area Network）に接続するめのＬＡＮポートと、構内に設置される電話端末などの電話通信用機器が接続されるアナログラインポート（以下、単にラインポートと言う。）を備えている。この実施の形態において、ラインポートは、８ポート分設けられたものある。
【００２７】
そして、携帯端末装置１のＷＡＮポートには、図１に示すように、回線終端装置２を介して、ＷＡＮ（広域ネットワーク）からの通信回線が接続するようにされる。回線終端装置２は、ＷＡＮに接続された光通信回線を通じて供給される光信号を電気信号に変換してゲートウェイ装置１に供給し、また、ゲートウェイ装置１からの電気信号を光信号に変換して光通信回線に出力するものである。すなわち、回線終端装置２は、光信号と電気信号との間の相互の変換装置である。
【００２８】
また、ゲートウェイ装置１のＬＡＮポートには、ハブ（ＨＵＢ）３を経由して、ルータ及びパーソナルコンピュータ、各種のＩＰ端末などが接続される。ハブ３は、ゲートウェイ装置１とパーソナルコンピュータやＩＰ端末との間の通信を中継するものであり、いわゆるマルチポート・リピータの機能を有するものである。
【００２９】
また、携帯端末装置１のラインポートには、電話通信用機器が接続される。例えば、電話端末や、図１に示すように、ビジネスホン用の主装置４を介して複数の電話端末を接続することができるようにされる。
【００３０】
そして、ハブ３を介してＬＡＮポートに接続されたパーソナルコンピュータやＩＰ端末は、ゲートウェイ装置１、回線終端装置２を経由してインターネットに接続し、インターネット上のサーバー装置に存在する情報を閲覧したり、ダウンロードしてきたり、あるいは、インターネット上のサーバー装置に情報をアップロードするなど、インターネットを介した通信を行うことができるようにされる。
【００３１】
また、ラインポートに接続された電話端末は、自機から発呼したり、かかってきた着信に応答したりすることにより、ゲートウェイ装置１、回線終端装置２、インターネットや公衆電話網を介して、通信の相手先との間に電話回線を接続し、電話通信（通話等）を行うことができるようにされる。
【００３２】
このように、ゲートウェイ装置１は、ＷＡＮとＬＡＮ間の接続や、ＷＡＮと構内電話システムとの接続を可能にするものであり、いわゆるプロトコル変換装置として機能するものである。
【００３３】
［携帯端末装置１の構成例について］
図２は、この実施の形態のゲートウェイ装置１の構成例を説明するためのブロック図である。図２に示すように、この実施の形態のゲートウェイ装置１は、ゲートウェイ装置１を構成する各部を制御すると共に、種々のデータ処理を行うＣＰＵ１０を備えている。
【００３４】
ＣＰＵ１０に対しては、インターフェース回路（以下、Ｉ／Ｆという。）１２を介してＷＡＮポートが接続されると共に、Ｉ／Ｆ１４を介してＬＡＮポートが接続されている。また、ＣＰＵ１０に対しては、ＤＤＲ−ＳＤＲＡＭ（Double Data Rate Synchronous Dynamic Random Access Memory）、ＮＯＲ−ＦＲＯＭ（ＮＯＲ型フラッシュメモリー）、ＮＡＮＤ−ＦＲＯＭ（ＮＡＮＤ型フラッシュメモリー）といった各種のメモリーからなるメモリー部１５が接続されている。さらに、ＣＰＵ１０に対しては、ＬＥＤ（Light Emitting Diode）部１６、初期化スイッチ１７、時計回路１８が接続されると共に、Ｉ／Ｆ１９を介して、ラインポート部２０が接続されている。
【００３５】
ＷＡＮポート１１には、図１を用いて説明したように、ＷＡＮからの通信回線が接続される。ＷＡＮポート１１とＣＰＵ１０との間に位置するＩ／Ｆ１２は、ＷＡＮポート１１を通じて受け付けた受信データをＣＰＵ１０において処理可能な形式のデータに変換してＣＰＵ１０に供給したり、ＣＰＵ１０からの送信データをＷＡＮに送出する形式のデータに変換してＷＡＮポート１１を通じて出力したりするものである。
【００３６】
ＬＡＮポート１３には、図１を用いて説明したように、ハブ３を経由して、ルータとパーソナルコンピュータや、種々のＩＰ端末などが接続される。ＬＡＮポート１３とＣＰＵ１０との間に位置するＩ／Ｆ１４は、ＬＡＮポート１３を通じて受け付けたデータをＣＰＵ１０において処理可能な形式のデータに変換してＣＰＵ１０に供給したり、ＣＰＵ１０からのデータをＬＡＮに送出する形式のデータに変換してＬＡＮポート１３を通じて出力したりするものである。
【００３７】
そして、ＣＰＵ１０は、この実施の形態の携帯端末装置１の各部を制御すると共に、各ポートを通じて供給を受けた種々のデータについて、そのデータに形式や付加されている情報から、供給元のネットワークやシステム及び供給先のネットワークやシステムを把握する。そして、ＣＰＵ１０は、供給を受けた種々のデータについて、供給元のネットワークやシステムと供給先のネットワークやシステムとを考慮して、フォーマット変換、アドレス変換、プロトコル変換などの必要な処理を行って、これを目的とするネットワークやシステムが接続されたポートに送出する。
【００３８】
したがって、ＬＡＮポート１３に接続するようにされたパーソナルコンピュータやＩＰ端末などは、ＬＡＮポート１３、Ｉ／Ｆ１４、ＣＰＵ１０、Ｉ／Ｆ１２、ＷＡＮポート１１を経由してインターネットに接続し、インターネット接続されたサーバー装置や通信機器との間で、相互に通信を行うことができるようにされる。
【００３９】
また、ＣＰＵ１０に接続されているメモリー部１５の内、ＤＤＲ−ＳＤＲＡＭは、ＣＰＵ１０が実行する各種の処理において、処理の途中結果を一時記憶するなど、主に作業領域として用いられるものである。また、ＮＯＲ−ＦＲＯＭは、ＣＰＵ１０において実行するプログラムなどを記憶保持しているものである。また、ＮＡＮＤ−ＦＲＯＭは、種々のデータを記憶保持するものであり、例えば、各種の設定パラメータなどを記憶保持するものである。
【００４０】
そして、ＣＰＵ１０は、メモリー部１５のＮＯＲ−ＦＲＯＭからプログラムを読み出して実行して、上述した種々の変換処理やその他の各種の処理を行う。この場合、ＣＰＵ１０は、必要に応じてＮＡＮＤ−ＦＲＯＭに保存されているデータを参照して処理を行う。また、ＣＰＵ１０は、ＤＤＲ−ＳＤＲＡＭを作業領域として用い、実行している処理における途中結果などをＤＤＲ−ＳＤＲＡＭに記録したり、読み出したりしながら、種々の処理を行うことになる。
【００４１】
ＣＰＵ１０に接続されたＬＥＤ部１６は、電源（POWER）ＬＥＤ、初期化（INIT）ＬＥＤ、警告（ALARM）ＬＥＤ、構成（CONFIG）ＬＥＤ、ＰＰＰ接続（PPP）ＬＥＤ、ＶＯＩＰ接続ＬＥＤ、ＷＡＮ接続ＬＥＤ、ＬＡＮ接続ＬＥＤなどの複数のＬＥＤを備えたものである。そして、ＣＰＵ１０は、自機の状態に応じて、各ＬＥＤの点灯、消灯、点滅を制御する。これにより、携帯端末装置１の状態をＬＥＤの点灯、消灯、点滅によって使用者に通知することができるようにしている。
【００４２】
ＣＰＵ１０に接続された初期化スイッチ１７は、ゲートウェイ装置１を初期化するためのものである。初期化スイッチ１７が使用者により操作されると、ＣＰＵ１０は、ＮＡＮＤ−ＦＲＯＭの設定情報を初期状態に戻したり、ＤＤＲ−ＳＤＲＡＭのデータをクリアしたりするなどの処理を行い、ゲートウェイ装置１を初期状態に戻すようにする。この初期化スイッチ１７は、ゲートウェイ装置１を移設して接続を変えるなどする場合に操作される。
【００４３】
ＣＰＵ１０に接続された時計回路１８、現在時刻を提供すると共に、年、月、日、曜日をも管理することが可能なカレンダ機能をも有するものである。これにより、ＣＰＵ１０は、現在年月日、現在曜日、現在時刻を常時適切に把握することができるようにしている。
【００４４】
さらに、ＣＰＵ１０に対しては、Ｉ／Ｆ１９を介してラインポート部２０が接続されている。ラインポート部２０は、ゲートウェイ装置１に対して電話通信用機器を接続するためのものである。この例のラインポート部２０は、８つのラインポートＬ１、Ｌ２、Ｌ３、Ｌ４、Ｌ５、Ｌ６、Ｌ７、Ｌ８を備え、そのそれぞれに電話用通信機器を接続することができるようにしている。
【００４５】
そして、ラインポート部２０とＣＰＵ１０とは、図２に示すように、Ｉ／Ｆ１９を介してデータラインで接続されると共に、矢印で示したように、制御ラインを通じても接続されている。そして、ラインポート部２０は、商用電源から各部に印加（供給）する電源電圧を形成する電源回路３０からの電源電圧の供給を受けて、各ラインポートに接続された電話通信用機器に給電したり、鳴動信号を発生させて、これを目的とするラインポートに接続された電話通信機器に供給したり、接続された電話通信用機器とＣＰＵ１０との間での音声信号の送受を行えるようにしたりする。
【００４６】
すなわち、ゲートウェイ装置１のＣＰＵ１０は、ＷＡＮポート１１を通じて、公衆電話網を介して送信されてくる自機宛の着信を受けた場合に、これを制御バスを通じてラインポート部２０に通知する。ラインポート部２０においては、ＣＰＵ１０の制御に応じて、指示されたラインポートに鳴動信号を供給して着信があることを通知するようにする。
【００４７】
当該ラインポートに接続された電話通信用機器である電話端末においては、供給される鳴動信号に応じて、リンガ音を放音させ、使用者に着信を通知する。これに応じて、ラインポート部２０に接続された電話機器の使用者が着信に応答する操作（オフフック操作）を行うと、ＷＡＮポート１１、Ｉ／Ｆ１２、ＣＰＵ１０、Ｉ／Ｆ１９、ラインポート部２０を通じて、ＷＡＮに接続された電話通信の相手先の電話端末と、ラインポート部２０に接続するようにされた電話端末との間に電話回線を接続し、相互に通話を行うことができるようにされる。
【００４８】
この場合、Ｉ／Ｆ１９は、ＣＰＵ１０を通じて供給されるパケット化された音声信号を元のベースバンドの音声信号に変換してラインポート部２０に供給したり、ラインポート部２０からのベースバンドの音声信号をパケット化してＣＰＵ１０に供給したりする機能を有する。
【００４９】
そして、この実施の形態のゲートウェイ装置１のＣＰＵ１０は、ＷＡＮポート１１を通じて、電話通信用の複数の着信を同時に受け付けて、複数の電話回線を同時に接続することができるものである。この場合、ＣＰＵ１０は、ラインポート部２０を制御し、ラインポート部２０の異なるラインポートに接続された電話通信用機器に鳴動信号を供給することができるようにしている。
【００５０】
ここで、ラインポート部２０の構成について説明する。図２に示すように、ラインポート部２０は、コーデック部２１、２３、回線Ｉ／Ｆ部２２、２４を備えたものである。回線Ｉ／Ｆ部２２は、４つのラインポートＬ１、Ｌ２、Ｌ３、Ｌ４のそれぞれに対応する回線Ｉ／Ｆ回路２２（１）、２２（２）、２２（３）、２２（４）を備えたものである。また、回線Ｉ／Ｆ部２４は、４つのラインポートＬ５、Ｌ６、Ｌ７、Ｌ８のそれぞれに対応する回線Ｉ／Ｆ回路２４（１）、２４（２）、２４（３）、２４（４）を備えたものである。
【００５１】
また、コーデック部２１は、２つのコーデック２１（１）、２１（２）を備えている。コーデック２１（１）は、回線Ｉ／Ｆ回路２２（１）、２２（２）に対するものであり、コーデック２１（２）は、回線Ｉ／Ｆ回路２２（３）、２２（４）に対するものである。また、コーデック部２３は、２つのコーデック２３（１）、２３（２）を備えている。コーデック２３（１）は、回線Ｉ／Ｆ回路２４（１）、２４（２）に対するものであり、コーデック２３（２）は、回線Ｉ／Ｆ回路２４（３）、２４（４）に対するものである。
【００５２】
そして、図２に示すように、コーデック部２１、２３の各コーデック２１（１）、２１（２）、２３（１）、２３（２）のそれぞれが、制御ラインを通じてＣＰＵ１０に接続されている。これにより、制御部１０は、コーデック部２１、２３の各コーデック２１（１）、２１（２）、２３（１）、２３（２）のそれぞれを制御することができる。
【００５３】
また、ＣＰＵ１０は、各コーデック２１（１）、２１（２）、２３（１）、２３（２）を通じて、回線Ｉ／Ｆ回路２２（１）、２２（２）、２２（３）、２２（４）、回線Ｉ／Ｆ２４（１）、２２（２）、２２（３）、２２（４）のそれぞれを制御することもできるようにしている。
【００５４】
そして、この実施の形態のゲートウェイ装置１において、コーデック２１（１）、２１（２）、２３（１）、２３（２）のそれぞれは、コーデック機能（Ａ／Ｄ変換機能、Ｄ／Ａ変換機能）、ＣＰＵ１０との制御データのＩ／Ｆ機能（ＣＰＵＩ／Ｆ機能）、ＣＰＵ１０との音声データのＩ／Ｆ機能（ＰＣＭＩ／Ｆ機能）、回線Ｉ／Ｆ回路とのＩ／Ｆ機能、及び、トーン生成／トーン検出機能を有するものである。
【００５５】
また、回線Ｉ／Ｆ回路２２（１）、２２（２）、２２（３）、２２（４）、回線Ｉ／Ｆ回路２４（１）、２２（２）、２２（３）、２２（４）のそれぞれは、給電機能、リンギング機能、極性反転機能、フック検出機能などの回線Ｉ／Ｆ機能を有するものである。
【００５６】
［複数の着信の同時受付について］
そして、上述もしたように、この実施の形態のゲートウェイ装置１のＣＰＵ１０は、ＷＡＮポート１１を通じて、電話通信用の複数の着信を同時に受け付けて、複数の電話回線を同時に接続するようにすることができるものである。ここでは、発生頻度の高い、２つの着信が同時に発生した場合について考える。
【００５７】
２つの着信が同時に発生した場合に、そのそれぞれの着信を使用者に適切に通知できるようにするために、同じ鳴動タイミングの鳴動信号を生成して、異なるラインポートに送出するようにすると、図６を用いて説明したように、瞬間的な消費電流が大きくなる場合があり、ゲートウェイ装置１に負荷がかかるなど好ましい状態ではない。
【００５８】
このため、図７を用いて説明したように、鳴動タイミングの異なる鳴動信号を用いるようにすることも考えられる。しかし、同時に着信したものであれば、できれば同時に通知できるようにしたほうが望ましい。
【００５９】
そこで、この実施の形態のゲートウェイ装置１においては、同時に２つの着信が発生した場合には、ラインポート部２０において、ＣＰＵ１０の制御に応じて、鳴動タイミングは同じであるが、位相が相互に９０度異なる鳴動信号を発生させて、異なるラインポートに送出することができるようにしている。
【００６０】
［位相の異なる鳴動信号を発生させるための構成について］
図３は、位相が相互に９０度異なる鳴動信号を発生させるラインポート部２０の構成について説明するための図である。図２に示したように、ラインポート部２０は、コーデック部２１、回線Ｉ／Ｆ部２２、ラインポートＬ１〜Ｌ４からなる部分と、コーデック部２３、回線Ｉ／Ｆ部２４、ラインポートＬ５〜Ｌ８からなる部分とからなっている。
【００６１】
そして、ラインポート部２０において、コーデック部２１、回線Ｉ／Ｆ部２２、ラインポートＬ１〜Ｌ４からなる部分と、コーデック部２３、回線Ｉ／Ｆ部２４、ラインポートＬ５〜Ｌ８からなる部分とは、同様に構成される部分である。そこで、以下においては説明を簡単にするため、コーデック部２１、回線Ｉ／Ｆ部２２、ラインポートＬ１〜Ｌ４からなる部分の構成について説明する。
【００６２】
図２を用いて説明し、また、図３にも示すように、各ラインポートＬ１、Ｌ２、Ｌ３、Ｌ４に対応して、回線Ｉ／Ｆ回路２２（１）、２２（２）、２２（３）、２２（４）が設けられている。そして、回線Ｉ／Ｆ回路２２（１）、２２（２）には、コーデック２１（１）が設けれ、回線Ｉ／Ｆ回路２２（３）、２２（４）には、コーデック２１（２）が設けられている。
【００６３】
そして、回線Ｉ／Ｆ回路２２（１）、２２（２）、２２（３）、２２（４）のそれぞれは、鳴動信号（リンガ電圧）発生部２２１（１）、２２１（２）、２２１（３）、２２１（４）を備えている。これら鳴動信号（リンガ電圧）発生部２２１（１）、２２１（２）、２２１（３）、２２１（４）のそれぞれは、図７を用いて説明したように、１秒鳴動、２秒鳴動停止といったサイクルで変化する鳴動信号（リンガ電圧）を形成するものである。
【００６４】
そして、この実施の形態の形態のゲートウェイ装置１において、回線Ｉ／Ｆ回路２２（１）の鳴動信号発生部２２１（１）は、基準位相の鳴動信号を発生させるものである。すなわち、鳴動信号発生部２２１（１）は、基準位相に対してずれの無い（ずれが０度である）鳴動信号を発生させるものである。
【００６５】
また、回線Ｉ／Ｆ回路２２（２）の鳴動信号発生部２２１（２）は、基準位相に対して位相が９０度ずれた鳴動信号を発生させるものである。すなわち、鳴動信号発生部２２１（２）は、鳴動信号発生部２２１（１）で発生させる鳴動信号とは位相が相互に９０度異なる鳴動信号を発生させるものである。なお、この実施の形態において、鳴動信号発生部２２１（２）は、基準位相に対して９０度遅れた鳴動信号を発生させるようにしている。
【００６６】
また、回線Ｉ／Ｆ回路２２（３）の鳴動信号発生部２２１（３）は、上述した回線Ｉ／Ｆ回路２２（１）の鳴動信号発生部２２１（１）と同様に、基準位相の鳴動信号を発生させるものである。すなわち、鳴動信号発生部２２１（３）は、基準位相に対してずれの無い（ずれが０度である）鳴動信号を発生させるものである。
【００６７】
また、回線Ｉ／Ｆ回路２２（４）の鳴動信号発生部２２１（４）は、上述した回線Ｉ／Ｆ回路２２（２）の鳴動信号発生部２２１（２）と同様に、基準位相の鳴動信号に対して、位相が９０度ずれた鳴動信号を発生させるものである。すなわち、鳴動信号発生部２２１（４）は、鳴動信号発生部２２１（３）で発生させる鳴動信号とは位相が相互に９０度異なる鳴動信号を発生させるものである。なお、この実施の形態において、鳴動信号発生部２２１（４）は、基準位相に対して９０度遅れた鳴動信号を発生させるようにしている。
【００６８】
このように、この実施の形態のゲートウェイ装置１においては、回線Ｉ／Ｆ回路２２（１）、２２（３）において、基準位相に一致した鳴動信号を発生させ、回線Ｉ／Ｆ回路２２（２）、２２（４）において、基準位相に対して９０度ずれた鳴動信号を発生させると言うように、固定的に決められているものとする。なお、この実施の形態にゲートウェイ装置１において、どの回線Ｉ／Ｆ回路において、どのような位相の鳴動信号を発生させるかは、コーデック２１（１）、２２（２）からの設定値によって決められる。
【００６９】
そして、ラインポートＬ１、Ｌ２、Ｌ３、Ｌ４に接続されたいずれの電話通信用機器も使用されていない状態にあるときに、この実施の形態のゲートウェイ装置１に２つの着信が同時に発生すると、ＣＰＵ１０は、例えば、ラインポートＬ１とラインポートＬ２に鳴動信号を送出することを、ラインポート部２０のコーデック２１（１）に指示する。
【００７０】
コーデック２１（１）は、ＣＰＵ１０からの指示に応じて、回線Ｉ／Ｆ回路２２（１）と、回線Ｉ／Ｆ回路２２（２）とに対して、鳴動信号を発生させて送出することを指示する。これに応じて、回線Ｉ／Ｆ回路２２（１）においては、自己の鳴動信号発生部２２１（１）において、基準位相の鳴動信号を発生させてラインポートＬ１に送出し、同時に、回線Ｉ／Ｆ回路２２（２）においては、自己の鳴動信号発生部２２１（２）において、基準位相に対して９０度ずれた鳴動信号を発生させてラインポートＬ２に送出する。
【００７１】
これにより回線Ｉ／Ｆ回路２２（１）から送出される鳴動信号と、回線Ｉ／Ｆ回路２２（２）から送出される鳴動信号とは、相互に位相が９０度ずれたものであるので、信号のピークが重なりあうことが無く、瞬間的な消費電流の増大を防止することができる。
【００７２】
図４は、鳴動タイミングは同じであるが、位相が相互に９０度ずれるようにされた鳴動信号を同時に出力するようにした場合の消費電流の変化について説明するための図である。図４に示した例の場合、例えば、図４Ａに示した波形が、回線Ｉ／Ｆ回路２１（１）で発生するようにされた鳴動信号（リンガ電圧）の波形であり、図４Ｂに示した波形が、回線Ｉ／Ｆ回路２１（２）で発生するようにされた鳴動信号（リンガ電圧）の波形である。
【００７３】
図４Ａの波形と図４Ｂの波形とを比較すると分かるように、双方の波形は、相互に位相が９０度ずれたものであるのでピークが重なり合うことが無い。したがって、図４Ｃに示すように、消費電流が瞬間的に大きくなるような場合は発生せず、消費電流の大きさは、鳴動時において、比較的に低く、ほぼ一定となる。
【００７４】
なお、ここでは、ラインポートＬ１、Ｌ２、Ｌ３、Ｌ４のいずれに接続された電話通信用機器が用いられていない場合を例にして説明した。しかし、実際には、ラインポートＬ１、Ｌ２、Ｌ３、Ｌ４のいずれかに接続された電話端末が、通話に用いられている場合もある。この場合、どのラインポートに接続された電話端末が用いられているのかは、ＣＰＵ１０によって把握されている。
【００７５】
このため、ＣＰＵ１０は、通信に用いられていない、空いているラインポートに鳴動信号を送出するように、コーデック２１（１）、２２（２）を制御する。例えば、図３に示した例の場合に、ラインポートＬ１に接続された電話端末が電話通信を行っており、その他のラインポートが空いている場合について考える。
【００７６】
この場合の第１の方法として、ＣＰＵ１０は、コーデック２１（１）を制御して回線Ｉ／Ｆ回路２２（２）に基準位相に対して９０度ずれた鳴動信号を発生させて、これをラインポートＬ２に送出すると共に、同時に、コーデック２１（２）を制御して回線Ｉ／Ｆ回路２２（３）に基準位相の鳴動信号を発生させて、これをラインポートＬ３に送出するようにする。
【００７７】
また、第２の方法として、ＣＰＵ１０は、コーデック２１（２）を制御して回線Ｉ／Ｆ回路２２（３）に基準位相の鳴動信号を発生させて、これをラインポートＬ３に送出すると共に、同時に、回線Ｉ／Ｆ回路２２（４）に基準位相に対して９０度ずれた鳴動信号を発生させて、これをラインポートＬ４に送出するようにする。
【００７８】
これら第１、第２のいずれかの方法を用いることにより、この例の場合には、鳴動タイミングは同じであるが、位相が相互に９０度ずれた２つの鳴動信号を同時に発生させ、これらを異なるラインポートに送出することができる。この場合には、２つの鳴動信号と消費電流の関係は、図４に示した通りとなり、瞬間的な消費電流の増大を防止しつつ、同時に発生した２つの着信のそれぞれを適切に使用者に通知することができるようにされる。
【００７９】
また、ラインポートＬ２が使用されている場合には、ラインポートＬ１とラインポートＬ４、あるいは、ラインポートＬ３とラインポートＬ４とが用いられるというように、空いているラインポートの中から位相が相互に９０度異なる鳴動信号を出力するラインポートを特定し、そのラインポートのコーデックを介して、回線Ｉ／Ｆ回路を制御することになる。
【００８０】
また、ラインポート部２０のコーデック２３、回線Ｉ／Ｆ部２４、ラインポートＬ５、Ｌ６、Ｌ７、Ｌ８からなる部分も、図３を用いて説明したコーデック２３、回線Ｉ／Ｆ部２４、ラインポートＬ５、Ｌ６、Ｌ７、Ｌ８からなる部分と同様に構成される。したがって、電話通信に利用されているラインポートが複数あっても、８つのラインポートＬ１〜Ｌ８を考慮することによって、より柔軟に位相が相互に９０度異なる鳴動信号を出力するラインポートを選択することができるようにされる。
【００８１】
［同時に２つより多くの着信が発生した場合を考慮した対応］
ところで、上述したように、鳴動タイミングは同じであるが、位相が相互に９０度異なる鳴動信号を用いるようにすることによって、同時に２つの着信が発生した場合であっても、瞬間的に消費電電流を増大させること無く、２つの着信のそれぞれを遅延させること無く通知することが可能である。
【００８２】
しかし、発生する確率は低くなるが、ゲートウェイ装置１において、３つの着信が同時に発生する可能性もある。この場合、位相が相互に９０度異なる鳴動信号を用いるようにしても、２つの鳴動信号のピークが一致してしまうので、瞬間的に消費電流が増大する場合が発生してしまう。そこで、位相が互いに９０度異なる鳴動信号を用いると共に、鳴動タイミングの異なる鳴動信号をも用いるようにすることを考える。
【００８３】
図５は、位相が互いに９０度異なる鳴動信号を用いると共に、鳴動タイミングの異なる鳴動信号をも用いるようにしたラインポート２０の構成を説明するための図である。上述もしたように、ラインポート部２０は、コーデック部２１、回線Ｉ／Ｆ部２２、ラインポートＬ１〜Ｌ４からなる部分と、コーデック部２３、回線Ｉ／Ｆ部２４、ラインポートＬ５〜Ｌ８からなる部分とからなり、これらの部分は同様に構成される。このため、この例の場合にも、説明を簡単にするため、コーデック部２１、回線Ｉ／Ｆ部２２、ラインポートＬ１〜Ｌ４からなる部分の構成について説明する。
【００８４】
図５に示すように、各ラインポートＬ１、Ｌ２、Ｌ３、Ｌ４に対応して、回線Ｉ／Ｆ回路２２（１）、２２（２）、２２（３）、２２（４）が設けられ、また、回線Ｉ／Ｆ回路２２（１）、２２（２）には、コーデック２１（１）が設けれ、回線Ｉ／Ｆ回路２２（３）、２２（４）には、コーデック２１（２）が設けられている構成は、図２、図３を用いて説明した通りである。
【００８５】
そして、この例の場合においても、回線Ｉ／Ｆ部２２（１）、２２（２）、２２（３）、２２（４）のそれぞれの鳴動信号発生部２２１（１）、２２１（２）、２２１（３）、２２１（４）においては、図７を用いて説明したように、１秒鳴動、２秒鳴動停止といったサイクルで変化する鳴動信号（リンガ電圧）を形成するものである。
【００８６】
そして、図５に示すこの例の場合、回線Ｉ／Ｆ回路２２（１）の鳴動信号発生部２２１（１）は、図３に示した鳴動信号発生部２２１（１）の場合と同様に、基準位相の鳴動信号（基準位相に対してずれの無い（ずれが０度である）鳴動信号）を発生させるものである。また、回線Ｉ／Ｆ回路２２（２）の鳴動信号発生部２２１（２）においては、図３に示した鳴動信号発生部２２１（２）の場合と同様に、基準位相に対して位相が９０度ずれた鳴動信号を発生させる。
【００８７】
これに対して、回線Ｉ／Ｆ回路２２（３）の鳴動信号発生部（３）は、基準位相の鳴動信号（基準位相に対してずれの無い（ずれが０度である）鳴動信号）であるが、鳴動信号発生部２２１（１）、２２１（２）の鳴動信号の鳴動タイミングよりも、１秒遅延した鳴動タイミングの鳴動信号を発生させる。また、回線Ｉ／Ｆ回路２２（４）の鳴動信号発生部（４）は、基準位相に対して９０度遅れた鳴動信号であるが、鳴動信号発生部２２１（１）、２２１（２）の鳴動信号の鳴動タイミングよりも、１秒遅延した鳴動タイミングの鳴動信号を発生させる。
【００８８】
したがって、図５に示した構成において、回線Ｉ／Ｆ回路２２１（１）の鳴動信号発生部２２１（１）と、回線Ｉ／Ｆ回路２２１（３）の鳴動信号発生部２２１（３）とは、共に、基準位相の鳴動信号を発生させるものであるが、鳴動タイミングが図７を用いて説明したように異なるタイミングとなるものである。
【００８９】
また、回線Ｉ／Ｆ回路２２１（２）の鳴動信号発生部２２１（２）と、回線Ｉ／Ｆ回路２２１（４）の鳴動信号発生部２２１（４）とは、共に、基準位相に対して９０度ずれた鳴動信号を発生させるものであるが、鳴動タイミングが図７を用いて説明したように異なるタイミングとなるものである。
【００９０】
これにより、ピークが重なりあうことがなく、消費電流を比較的に低く、常時一定に保つことができるようにして、最大４つの異なる鳴動信号を同時に発生させることができるようにされる。したがって、４つのラインポートＬ１、Ｌ２、Ｌ３、Ｌ４のいずれも使用されていない状態にある場合には、４つの着信が同時に発生しても、ピークが重なりあうことが無いようにして、異なるラインポートに鳴動信号を供給し、異なるラインポートに接続された電話通信用機器を通じて、同時に発生した４つの着信のそれぞれをユーザーに対して適切に通知することができるようにされる。
【００９１】
なお、図５に示した構成は一例である。したがって、例えば、鳴動信号発生部２２１（１）では、基準位相の鳴動信号（基準位相に対してずれの無い（ずれが０度である）鳴動信号）を発生させ、鳴動信号発生部２２１（２）では、基準位相の鳴動信号（基準位相に対してずれの無い（ずれが０度である）鳴動信号）であるが、鳴動信号発生部２２１（１）で発生させた鳴動信号とは鳴動タイミングが異なる鳴動信号を発生させるようにする。
【００９２】
また、鳴動信号発生部２２１（３）では、基準位相に対して位相が９０度ずれた鳴動信号を発生させ、鳴動信号発生部２２１（４）では、基準位相に対して位相が９０度ずれた鳴動信号であるが、鳴動信号発生部２２１（１）で発生させた鳴動信号とは鳴動タイミングが異なる鳴動信号を発生させるようにする。
【００９３】
このように、同じコーデックに接続された回線Ｉ／Ｆ回路において、同じ位相の鳴動信号であるが、鳴動タイミングが異なる鳴動信号を発生させるようにし、かつ、コーデックが異なる回線Ｉ／Ｆ回路では、位相が相互に９０度異なる鳴動信号を発生させるようにしてもよい。
【００９４】
また、ラインポート部２０のコーデック２３、回線Ｉ／Ｆ部２４、ラインポートＬ５、Ｌ６、Ｌ７、Ｌ８からなる部分も、図５を用いて説明したコーデック２１、回線Ｉ／Ｆ部２２、ラインポートＬ１、Ｌ２、Ｌ３、Ｌ４からなる部分と同様に構成される。したがって、電話通信に利用されているラインポートが複数あっても、８つのラインポートＬ１〜Ｌ８を考慮することによって、より柔軟にピークが重なりあうことの無いように、位相や鳴動タイミングの異なる鳴動信号を発生させることができるようにされる。
【００９５】
［変形例］
上述した実施の形態の携帯端末装置１においては、図３、図５に示したように、各ラインポートＬ１〜Ｌ４のそれぞれ毎に設けられる回線Ｉ／Ｆ回路２２（１）〜２２（４）のそれぞれに、鳴動信号発生部２２１（１）〜２２１（４）を設けるようにした。しかしこれに限るものではない。
【００９６】
例えば、各回線Ｉ／Ｆ回路のそれぞれに鳴動信号発生部を設けるのではなく、共通に用いられる鳴動信号発生部であって、基準位相の鳴動信号を発生させる第１の鳴動信号発生部と、基準位相に対して位相が９０度ずれた鳴動信号を発生させる第２の鳴動信号発生をゲートウェイ装置１内に設けるようにする。
【００９７】
そして、同時に２つの着信が発生した場合に、ＣＰＵ１０の制御により、第１、第２の鳴動信号発生部で発生させた位相が相互に９０度異なる鳴動信号を供給する（足し込む）ラインポートを選択して切り替えるようにする。例えば、第１の鳴動信号発生部で発生させた鳴動信号は、ラインポートＬ１に供給し、第２の鳴動信号発生部で発生させた鳴動信号は、ラインポートＬ２に供給すると言うように、鳴動信号の供給先をＣＰＵ１０の機能により切り替えるようにする。
【００９８】
このように、第１、第２の鳴動信号発生部で発生させる鳴動信号の供給先を、ＣＰＵ１０において実行させるソフトウェアによって切り替えられるようにすることにより、鳴動信号発生部の数を最小限に抑えることが可能となる。
【００９９】
なお、位相と鳴動タイミングとの両方を考慮する場合には、基準位相の鳴動信号を発生させる第１の鳴動信号発生部と、基準位相に対して位相が９０度ずれた鳴動信号を発生させる第２の鳴動信号発生に加えて、基準位相の鳴動信号であるが、鳴動タイミングが第１の鳴動信号発生部で発生させる鳴動タイミングと異なる鳴動タイミングの鳴動信号を発生させる第３の鳴動信号発生部と、基準位相に対して位相が９０度ずれた鳴動信号であるが、鳴動タイミングが第２の鳴動信号発生部で発生させる鳴動タイミングと異なる鳴動タイミングの鳴動信号を発生させる第４の鳴動信号発生を設ける。そして、これら第１〜第４の鳴動信号発生部で発生させる鳴動信号の供給先を異ならせるように制御することにより、図５を用いて説明した場合と同様に、４つの着信が同時に発生した場合であっても、これに対応することもできる。
【０１００】
［その他］
なお、鳴動信号のピークが重なりあうことが無いようにすればよいのであれば、例えば、４５度、６０度のように、９０度より小さなずれを生じさせるようにしてもよいし、１３５度、１５０度のように、９０度より大きなずれを生じさせるようにしてもよい。しかし、消費電流を常時、比較的に低い状態で一定に保つようにするためには、位相が相互に９０度ずれている場合が一番効率がよい。
【０１０１】
したがって、例えば、位相の相互のずれが、８８度、８９度、９１度、９２度などのように、９０度近傍の場合にも、また、８０度、１００度など、９０度に対してややずれ場合であっても、位相が相互に９０度ずれた鳴動信号を同時に発生させた場合とほぼ同程度のレベルに消費電流を一定に保つことができる場合には、それらの位相のずれは、９０度と同様であるとみなすことができる。
【０１０２】
なお、上述した実施の形態においては、ラインポートが８ポートであるゲートウェイ装置１にこの発明を適用した場合を例にして説明したが、ラインポートの数は、８ポートに限るものではない。４ポートであっても、１２ポートであってもこの発明を適用することができる。すなわち、この発明は、ラインポートが２つ以上あるゲートウェイ装置などに適用可能である。
【０１０３】
また、上述した実施の形態においては、この発明をゲートウェイ装置に適用した場合を例にして説明した。しかし、これに限るものではない。例えば、構内電話交換網を構築する場合に用いるいわゆる主装置などにも適用することができる。すなわち、この発明は、広域ネットワークからの複数の着信を同時に受け付けて、これらに応じた鳴動信号を形成して異なるラインポートに送出する種々の電話通信用機器に適用することができる。
【図面の簡単な説明】
【０１０４】
【図１】この発明の一実施の形態が適用されたゲートウェイ装置が用いられて形成される通信システムの一例を説明するための図である。
【図２】実施の形態のゲートウェイ装置１の構成例を説明するためのブロック図である。
【図３】位相が相互に９０度異なる鳴動信号を発生させるラインポート部２０の構成について説明するための図である。
【図４】鳴動タイミングは同じであるが、位相が相互に９０度ずれるようにされた鳴動信号を同時に出力するようにした場合の消費電流の変化について説明するための図である。
【図５】位相が互いに９０度異なる鳴動信号を用いると共に、鳴動タイミングの異なる鳴動信号をも用いるようにしたラインポート２０の構成を説明するための図である。
【図６】鳴動タイミングが同じ鳴動信号を発生させた場合の消費電流の変化について説明するための図である。
【図７】鳴動タイミングが異なる２つの鳴動信号を送出する場合について説明するための図である。
【符号の説明】
【０１０５】
１…ゲートウェイ装置、１０…ＣＰＵ、１１…ＷＡＮポート、１２…Ｉ／Ｆ、１３…ＬＡＮポート、１４…Ｉ／Ｆ、１５…メモリー部、１６…ＬＥＤ部、１７…初期化スイッチ、１８…時計回路、１９…Ｉ／Ｆ、２０…ラインポート部、２１、２３…コーデック、２１（１）、２１（２）…コーデック、２３（１）、２３（２）…コーデック、２２、２４…回線Ｉ／Ｆ部、２２（１）〜２２（４）…回線Ｉ／Ｆ回路、２４（１）〜２４（４）…回線Ｉ／Ｆ回路、Ｌ１〜Ｌ８…ラインポート、２２１（１）〜２２１（４）…鳴動信号発生部
【図１】
0005003903.tif 000002
【図２】
0005003903.tif 000003
【図３】
0005003903.tif 000004
【図４】
0005003903.tif 000005
【図５】
0005003903.tif 000006
【図６】
0005003903.tif 000007
【図７】
0005003903.tif 000008